(57)【要約】【課題】安全な可能性の高い投薬パターンを提供すること。【解決手段】コンピュータ１を、入力受付手段２、抽出手段３、除外手段４および表示手段５として機能させる。入力受付手段２は、薬品の情報の入力を受け付ける。抽出手段３は、複数の患者に対して処方された投薬パターンを格納したデータベース６から、入力受付手段２で入力を受け付けた薬品を含む投薬パターンを抽出する。除外手段４は、抽出手段３により抽出された投薬パターンのうち、投薬が禁止されている薬品が存在する患者の投薬パターンを除外する。表示手段５は、抽出手段３により抽出された投薬パターンのうち、除外手段４により除外されなかったものを表示する。【選択図】図１
2010140150.tif 000002
【特許請求の範囲】
【請求項１】
コンピュータを、
薬品の情報の入力を受け付ける入力受付手段、
複数の患者に対して処方された投薬パターンを格納したデータベースから、前記入力受付手段で入力を受け付けた前記薬品を含む前記投薬パターンを抽出する抽出手段、
前記抽出手段により抽出された前記投薬パターンのうち、投薬が禁止されている薬品が存在する患者の前記投薬パターンを除外する除外手段、
前記抽出手段により抽出された前記投薬パターンのうち、前記除外手段により除外されなかった前記投薬パターンを表示する表示手段、
として機能させることを特徴とするデータ選択支援プログラム。
【請求項２】
前記除外手段は、前記抽出手段により抽出された前記投薬パターンのうち、同時期に他の前記投薬パターンが存在する患者の前記投薬パターンを除外することを特徴とする請求項１記載のデータ選択支援プログラム。
【請求項３】
前記コンピュータを、さらに、投薬対象の患者名の入力を受け付ける患者名入力受付手段としてさらに機能させ、
前記除外手段は、前記患者名入力受付手段によって入力された患者に対する投薬が禁止されている薬品と同一の薬品の投薬が禁止されている患者に対する前記投薬パターン以外の前記投薬パターンを除外することを特徴とする請求項１記載のデータ選択支援プログラム。
【請求項４】
コンピュータを、さらに、前記表示手段により表示された前記投薬パターンの選択を受け付ける投薬パターン選択受付手段、
前記投薬パターン選択受付手段により受け付けられた前記投薬パターンを新たな投薬パターンとして前記データベースに格納させる格納手段、
として機能させることを特徴とする請求項１記載のデータ選択支援プログラム。
【請求項５】
薬品の情報の入力を受け付ける入力受付部と、
複数の患者に対して処方された投薬パターンを格納したデータベースから、前記入力受付手段で入力を受け付けた前記薬品を含む前記投薬パターンを抽出する抽出部と、
前記抽出部により抽出された前記投薬パターンのうち、投薬が禁止されている薬品が存在する患者の前記投薬パターンを除外する除外部と、
前記抽出部により抽出された前記投薬パターンのうち、前記除外部により除外されなかった前記投薬パターンを表示する表示部と、
を有することを特徴とするデータ選択支援装置。
【請求項６】
コンピュータが備える、
入力受付手段が、薬品の情報の入力を受け付け、
抽出手段が、複数の患者に対して処方された投薬パターンを格納したデータベースから、前記入力受付手段で入力を受け付けた前記薬品を含む前記投薬パターンを抽出し、
除外手段が、前記抽出手段により抽出された前記投薬パターンのうち、投薬が禁止されている薬品が存在する前記患者の前記投薬パターンを除外し、
表示手段が、前記抽出手段により抽出された前記投薬パターンのうち、前記除外手段により除外されなかった前記投薬パターンを表示する、
ことを特徴とするデータ選択支援方法。
【発明の詳細な説明】
【技術分野】
【０００１】
本発明はデータ選択支援プログラム、データ選択支援装置およびデータ選択支援方法に関し、特に、投薬に関する不適当なデータを除外するデータ選択支援プログラム、データ選択支援装置およびデータ選択支援方法に関する。
【背景技術】
【０００２】
近年、電子カルテに蓄積された情報を有効活用する方法の１つとして、過去に患者に投薬したパターンを他の患者の投薬時に参考とするナレッジセット（登録商標）機能が知られている。
【０００３】
例えば、処方箋データベースに記憶された過去の処方箋データを、当該患者のＩＤ等を検索キーとして抽出し、抽出された処方箋データを表示する方法が知られている。
また、病名とその病名に対する薬品とを組み合わせた病名薬品情報をデータベースに登録しておき、患者の病名を検索キーとしてデータベースのうち当該病名に対して処方可能な薬品一覧を表示する方法が知られている。
【０００４】
なお、一般的に「患者」とは病人や怪我人のことを指すが、本明細書における説明では、妊産婦や健康診断の受診者などの健常者も含み、電子カルテ装置でのカルテデータ入力対象者を総称して説明の便宜上「患者」というものとする。
【特許文献１】特開２００４−３１８５２０号公報
【特許文献２】特開２００７−２７２７５１号公報
【発明の開示】
【発明が解決しようとする課題】
【０００５】
しかしながら、蓄積された投薬パターンには、様々な患者の症状や、患者のシチュエーションによって、時に変則的な指示がなされたものが含まれている場合がある。
本発明はこのような点に鑑みてなされたものであり、安全な可能性の高い投薬パターンを提供することができるデータ選択支援プログラム、データ選択支援装置およびデータ選択支援方法を提供することを目的とする。
【課題を解決するための手段】
【０００６】
上記目的を達成するために、開示のデータ選択支援プログラムが提供される。このプログラムは、コンピュータを、薬品の情報の入力を受け付ける入力受付手段、複数の患者に対して処方された投薬パターンを格納したデータベースから、前記入力受付手段で入力を受け付けた前記薬品を含む投薬パターンを抽出する抽出手段、前記抽出手段により抽出された前記投薬パターンのうち、投薬が禁止されている薬品が存在する患者の前記投薬パターンを除外する除外手段、前記抽出手段により抽出された前記投薬パターンのうち、前記除外手段により除外されなかった前記投薬パターンを表示する表示手段、として機能させる。
【０００７】
このようなデータ選択支援プログラムによれば、入力受付手段により、薬品の情報の入力が受け付けられる。抽出手段により、複数の患者に対して処方された投薬パターンを格納したデータベースから、入力受付手段によって入力が受け付けられた薬品を含む投薬パターンが抽出される。除外手段により、抽出手段によって抽出された投薬パターンのうち、投薬が禁止されている薬品が存在する患者の投薬パターンが除外される。表示手段により、抽出手段によって抽出された投薬パターンのうち、除外手段により除外されなかった投薬パターンが表示される。
【発明の効果】
【０００８】
開示のデータ選択支援プログラムによれば、安全な可能性の高い投薬パターンを提供することができる。
【発明を実施するための最良の形態】
【０００９】
以下、実施の形態を、図面を参照して詳細に説明する。
まず、実施の形態のデータ選択支援プログラムの概要について説明し、その後、実施の形態をより具体的に説明する。
【００１０】
図１は、実施の形態のデータ選択支援プログラムの概要を示す図である。
実施の形態のデータ選択支援プログラムは、コンピュータ１を、入力受付手段２、抽出手段３、除外手段４および表示手段５として機能させる。
【００１１】
入力受付手段２は、例えば、患者に投与しようとする薬品の情報の入力を受け付ける。
抽出手段３は、複数の患者に対して処方された投薬パターンを格納したデータベース６から、入力受付手段２で入力を受け付けた薬品を含む投薬パターンを抽出する。
【００１２】
図１では、一例として投薬パターンＡ、Ｂ、Ｃが抽出されている。
除外手段４は、抽出手段３により抽出された投薬パターンのうち、投薬が禁止されている薬品が存在する患者の投薬パターンを除外する。図１では投薬パターンＡを除外している。
【００１３】
表示手段５は、抽出手段３により抽出された投薬パターンのうち、除外手段４により除外されなかったものを表示する。
このようなコンピュータ１によれば、投薬が禁止されている薬品が存在する患者の投薬パターンを除外することで、安全な可能性が高い投薬パターンを提供することができる。
【００１４】
以下、実施の形態をより具体的に説明する。
図２は、実施の形態の電子カルテシステムを示す図である。
電子カルテシステム１００は、サーバ装置１０、３０、４０と、複数の（図２では２台の）クライアント装置２０、２０、・・・とを有している。
【００１５】
サーバ装置１０は、当該診療科（本実施の形態では内科）の電子カルテを管理するサーバである。
サーバ装置１０は、患者毎の投薬（処方）パターンや、患者および医師（利用者）を識別するデータ等を格納し、必要に応じてそのデータを各クライアント装置２０に送る。また、これらのデータをサーバ装置３０、４０と共有する。
【００１６】
各クライアント装置２０は、それぞれ、医師が、処方箋を作成したり、患者への病状を説明したりする際に使用する電子カルテアプリケーション（後述）を備えている。
電子カルテアプリケーションは、医師の操作に応じて付属のモニタに電子カルテや、そのカルテ作成をサポートするために、過去に処方した投薬パターン等をサーバ装置１０から取得してモニタに表示させる。
【００１７】
その際、アレルギーを有する患者に対するものや、同時期に他の投薬を受けているもの等、参考とすべきものでないものを除外し、より安全な可能性の高い投薬パターンを表示させる。
【００１８】
サーバ装置３０およびサーバ装置４０は、他部門（例えば、調剤部門や会計部門等）の情報を管理するサーバである。
例えば、薬剤師は、端末装置（図示せず）からサーバ装置３０にアクセスすることで、医師により作成された処方箋を参照し、調剤することができる。また、会計担当者は、端末装置（図示せず）からサーバ装置４０にアクセスすることで、医師により作成された処方箋を参照し、会計金額を算出することができる。
【００１９】
図３は、クライアント装置のハードウェア構成例を示す図である。
クライアント装置２０は、ＣＰＵ（Central Processing Unit）２０１によって装置全体が制御されている。ＣＰＵ２０１には、バス２０７を介してＲＡＭ（Random Access Memory）２０２、ハードディスクドライブ（ＨＤＤ:Hard Disk Drive）２０３、グラフィック処理装置２０４、入力インタフェース２０５、および通信インタフェース２０６が接続されている。
【００２０】
ＲＡＭ２０２には、ＣＰＵ２０１に実行させるＯＳ（Operating System）のプログラムやアプリケーションプログラムの少なくとも一部が一時的に格納される。また、ＲＡＭ２０２には、ＣＰＵ２０１による処理に必要な各種データが格納される。ＨＤＤ２０３には、ＯＳやアプリケーションプログラムが格納される。また、ＨＤＤ２０３内には、プログラムファイルが格納される。
【００２１】
グラフィック処理装置２０４には、モニタ２０４ａが接続されている。グラフィック処理装置２０４は、ＣＰＵ２０１からの命令に従って、画像をモニタ２０４ａの画面に表示させる。入力インタフェース２０５には、キーボード２０５ａとマウス２０５ｂとが接続されている。入力インタフェース２０５は、キーボード２０５ａやマウス２０５ｂから送られてくる信号を、バス２０７を介してＣＰＵ２０１に送信する。
【００２２】
通信インタフェース２０６は、ネットワーク７０に接続されている。通信インタフェース２０６は、ネットワーク７０を介して、他のコンピュータとの間でデータの送受信を行う。
【００２３】
以上のようなハードウェア構成によって、本実施の形態の処理機能を実現することができる。なお、図３にはクライアント装置２０のハードウェア構成を示したがサーバ装置１０、３０、４０についても同様のハードウェア構成で実現することができる。このようなハードウェア構成の電子カルテシステム１００においてサーバ装置１０および各クライアント装置２０内には、以下のような機能が設けられる。
【００２４】
＜サーバ装置＞
図４は、サーバ装置の機能を示すブロック図である。
サーバ装置１０は、データ送受信部１１と、制御部１２と、電子カルテ処理用データ格納部１３とを有している。
【００２５】
データ送受信部１１は、各クライアント装置２０との間でデータの送受信を行う機能を有している。
制御部１２は、各クライアント装置２０が電子カルテアプリケーションにログインする際の認証機能を有している。
【００２６】
具体的には、各クライアント装置２０からのユーザ認証要求に応じて認証を行い、認証後、各クライアント装置２０からのデータ送信要求に応じて電子カルテ処理用データ格納部１３に格納されているデータをクライアント装置２０に送信する。
【００２７】
また、クライアント装置２０からのデータ更新要求に応じて電子カルテ処理用データ格納部１３に格納されているデータを更新する。
電子カルテ処理用データ格納部１３は、各クライアント装置２０の電子カルテアプリケーションの実行時に使用するデータを格納している。具体的には、利用者ＤＢ１３１と、患者ＤＢ１３２と、投薬歴（投薬履歴）ＤＢ１３３と、薬品マスタ１３４と、薬歴（薬履歴）ＤＢ１３５とを有している。
【００２８】
利用者ＤＢ１３１には、医師の基本情報（例えば、氏名、所属科、職能等）が、予め定められたフォーマットで格納されている。
患者ＤＢ１３２には、患者の基本情報および患者のアレルギー有無の情報が格納されている。
【００２９】
投薬歴ＤＢ１３３には、過去に患者に投薬した薬品の情報（投薬パターン）が、投薬指示をした医師や、投薬日数等と関連づけられて格納されている。
薬品マスタ１３４には、薬品の一般的な情報および薬品の禁忌情報（例えば、病気に対する「病気禁忌薬」、飲み合わせの悪い薬の「併用禁忌薬」、妊娠中に禁止される「妊婦禁忌薬」等の情報）が格納されている。また、警告のある薬の情報も格納されている。
【００３０】
薬歴ＤＢ１３５には、患者の過去または現在の投薬状況が格納されている。
以下、患者ＤＢ１３２、投薬歴ＤＢ１３３および薬歴ＤＢ１３５のデータ構造について説明する。
【００３１】
＜患者ＤＢ＞
患者ＤＢ１３２ではデータがテーブル化されて格納されている。
図５は、患者管理テーブルのデータ構造を示す図である。
【００３２】
患者管理テーブル１３２ａには、患者ＩＤ、患者名、性別、生年月日、禁止薬品コード、禁止薬品名および禁止薬効の欄が設けられており、各欄の横方向に並べられた情報同士が互いに関連づけられている。
【００３３】
患者ＩＤの欄には、患者を識別する番号（ＩＤ）が格納されている。
患者名の欄には、患者の氏名が格納されている。
性別の欄には、患者の性別が格納されている。
【００３４】
生年月日の欄には、患者の欄に格納されている患者の生年月日が格納されている。
禁止薬品コードの欄には、先頭に「Ｄ」が付された薬品名を識別する識別番号（コード）が格納されている。
【００３５】
禁止薬品名の欄には、禁止薬品コードの具体的な薬品名や、その量が格納されている。
禁止薬効の欄には、さらに禁止薬効コードと禁止薬効名の欄が設けられている。
禁止薬効コードの欄には、先頭に「Ｅ」が付された禁止薬効名を識別する識別番号（コード）が格納されている。
【００３６】
禁止薬効名の欄には、禁止薬効コードの具体的な薬効名が格納されている。
なお、以下の説明では、禁止薬品名および禁止薬効名の欄に格納された情報を「薬物アレルギー情報」とも言う。
【００３７】
＜投薬歴ＤＢ＞
投薬歴ＤＢ１３３ではデータがテーブル化されて格納されている。
図６および図７は、投薬歴管理テーブルのデータ構造を示す図である。なお、図６および図７は、１つのテーブルを構成している。
【００３８】
投薬歴管理テーブル１３３ａには、患者ＩＤ、患者名、診療科コード、診療科名称、利用者コード、利用者名称、投薬開始日、オーダ番号、項目属性、項目属性名称、項目コード、項目名称、項目数量および項目単位名称の欄が設けられており、各欄の横方向に並べられた情報同士が互いに関連づけられている。
【００３９】
患者ＩＤの欄には、患者を識別する番号（ＩＤ）が格納されている。
患者名の欄には、患者の氏名が格納されている。
診療科コードの欄には、診療科名称の欄に格納された診療科を識別する番号が格納されている。
【００４０】
診療科名称の欄には、利用者名称の欄に格納された医師が属する診療科が格納されている。
利用者コードの欄には、利用者名称の欄に格納された利用者を識別する番号が格納されている。
【００４１】
利用者名称の欄には、患者名の欄に格納された患者に対する薬品を処方した利用者名（医師名）が格納されている。
投薬開始日の欄には、投薬オーダを発行した日付が格納されている。
【００４２】
オーダ番号の欄には、投薬オーダ毎に設けられた固有の識別番号が格納されている。同じオーダ番号が付されているオーダ情報（投薬歴管理テーブル１３３ａの一列分の情報）は、１つのオーダの単位（投薬パターン）（投薬する薬品の組み合わせおよび内服用法を備えるパターン）を構成していることを意味する。なお、本実施の形態では、オーダ番号の数が大きいオーダ情報ほど、オーダ日が新しい。
【００４３】
項目属性の欄には、オーダ情報の属性を示す識別子が格納されている。「Ｄ」は、オーダ情報の属性が薬品であることを示し、「Ｙ」は、オーダ情報の属性が用法であることを示している。
【００４４】
項目属性名称の欄には、項目名称の欄が薬品名である場合は「薬品」が格納され、用法である場合は「用法」が記載されている。
項目コードの欄には、項目属性が「Ｄ」の項目については、先頭に「Ｄ」が付された薬品名を識別する識別番号が格納されている。項目属性が「Ｙ」の項目については、先頭に「Ｙ」が付された内服用法毎のパターンを識別する識別番号が格納されている。
【００４５】
項目名称の欄には、項目属性が「Ｄ」の項目については、具体的な投薬オーダの薬品名とその量が格納されている。項目属性が「Ｙ」の項目については、内服用法が格納されている。
【００４６】
項目数量の欄には、項目属性が「Ｄ」の項目については、１日あたりの内服数量が格納されており、項目属性が「Ｙ」の項目については、投薬日数を示す日にちが格納されている。以下、オーダ日に投薬日数を加えた日を「投薬終了日」という。例えば、オーダ日が「２００７．８．１」で投薬日数が７日の場合、投薬終了日は、「２００７．８．８」である。
【００４７】
項目単位名称の欄には、項目属性が「Ｄ」の項目については、項目名称の薬品名に応じて「包」または「錠」が格納されており、項目属性が「Ｙ」の項目については、「日」が格納されている。
【００４８】
＜薬歴ＤＢ＞
薬歴ＤＢ１３５ではデータがテーブル化されて格納されている。
図８は、薬歴管理テーブルのデータ構造を示す図である。
【００４９】
薬歴管理テーブル１３５ａには、患者ＩＤ、項目コード、項目名称、投薬開始日、および投薬終了日の欄が設けられており、各欄の横方向に並べられた情報同士が互いに関連づけられている。
【００５０】
患者ＩＤ、項目コード、項目名称および投薬開始日の欄には、それぞれ投薬歴管理テーブル１３３ａと同様の情報が格納されている。
投薬終了日の欄には、投薬を終了した日時が格納されている。
【００５１】
次に、クライアント装置２０の機能を説明する。
図９は、クライアント装置の機能を示すブロック図である。
クライアント装置２０は、入力受付部２１と、インタフェース部２２と、アプリケーション格納部２３と、アプリケーション実行部２４とを有している。
【００５２】
入力受付部２１は、患者に対して投与しようとする薬品の情報の入力等、医師のキーボード２０５ａやマウス２０５ｂ等による入力操作（以下、単に「医師の操作」と言う）を受け付ける。
【００５３】
インタフェース部２２は、サーバ装置１０とのデータのやりとりを行うインタフェースである。なお、図９では、データ送受信部１１および制御部１２の図示を省略している。
アプリケーション格納部２３は、電子カルテアプリケーションを格納している。
【００５４】
アプリケーション実行部２４は、入力受付部２１が受け付けた、電子カルテアプリケーションの起動要求に応じてアプリケーション格納部２３に格納されている電子カルテアプリケーションを呼び出す。そして、電子カルテアプリケーションのログイン画面をモニタ２０４ａに表示させる。
【００５５】
医師の操作により、医師の利用者コードと、固有のパスワード等が入力され、ログインボタン（図示せず）が選択（押下）されることにより、アプリケーション実行部２４は、認証処理を行う。
【００５６】
具体的には、アプリケーション実行部２４が、ログイン名およびパスワードとともに認証要求を、インタフェース部２２を介してサーバ装置１０に送信する。サーバ装置１０の制御部１２によって認証されれば、電子カルテアプリケーションにログインすることができる。
【００５７】
電子カルテアプリケーションにログインすると、アプリケーション実行部２４は、電子カルテを管理するための各種ツールをモニタ２０４ａに表示する。
医師の操作により、投薬指示ツールが選択されると、アプリケーション実行部２４は、投薬指示ツールを起動する。
【００５８】
そして、医師の操作により、投薬パターン表示ツールが選択されると、アプリケーション実行部２４は、後述する投薬オーダ指示画面をモニタ２０４ａに表示する。
投薬オーダ指示画面において、医師の操作により薬品が選択されると、アプリケーション実行部２４は、投薬パターン表示処理を行う。
【００５９】
この処理により、アプリケーション実行部２４は、投薬歴ＤＢ１３３に格納されている投薬パターンの中から、今回選択した薬品を含む投薬パターンを一覧表示した投薬パターン表示画面をモニタ２０４ａに表示する。
【００６０】
図１０は、アプリケーション実行部の機能を示すブロック図である。
アプリケーション実行部２４は、データ抽出処理部２４１と、投薬パターン圧縮処理部２４２と、投薬パターン表示処理部２４３と、データ送信部２４４とを有している。
【００６１】
データ抽出処理部２４１は、投薬歴管理テーブル１３３ａから今回選択した薬品を含む投薬パターンを１件ずつ読み込む。そして以下の各機能により投薬パターン表示画面に表示する投薬パターンを抽出する。
【００６２】
このデータ抽出処理部２４１は、アレルギーチェック部２４１ａと、他科投薬状態チェック部２４１ｂと、投薬オーダチェック部２４１ｃとを有している。
アレルギーチェック部２４１ａは、患者管理テーブル１３２ａの禁止薬品名の欄または禁止薬効の欄に格納されている薬品名に基づいて、各患者の薬物アレルギーの有無をチェックする。
【００６３】
他科投薬状態チェック部２４１ｂは、投薬歴管理テーブル１３３ａに格納されている情報に基づいて、同一時期に他科で投薬されている投薬パターンの有無をチェックする。本実施の形態では、投薬されている日時が重複している投薬パターンが存在すれば、同一時期に他科で投薬されている投薬パターンが存在すると判断する。
【００６４】
投薬オーダチェック部２４１ｃは、薬品マスタ１３４に格納されている薬品の禁忌情報および警告のある薬の情報に基づいて、当該患者への投薬パターンが禁忌薬や警告のある薬を含んでいるか否かをチェックする。
【００６５】
パターン抽出ベースＤＢ２４１ｄは、各チェック項目をクリアした投薬パターンを一時保管する記憶領域を備えている。
投薬パターン圧縮処理部２４２は、データ抽出処理部２４１の抽出が終了した後に、パターン抽出ベースＤＢ２４１ｄに記憶された投薬パターンのうち、重複するパターンをまとめる。
【００６６】
投薬パターン表示処理部２４３は、投薬パターン圧縮処理部２４２によりまとめられた投薬パターンを備える投薬パターン表示画面を作成し、モニタ２０４ａに表示する。
なお、投薬パターン表示画面に表示された投薬パターンが医師の操作により選択されると、アプリケーション実行部２４は、当該患者の電子カルテの処方箋の欄に、選択された投薬パターンを反映する。
【００６７】
データ送信部２４４は、電子カルテを閉じる際に、当該患者の電子カルテをサーバ装置１０に送信する。
これにより、サーバ装置１０は、受信した電子カルテの処方箋の欄に記載されている投薬パターンを、投薬オーダとしてサーバ装置３０、４０に送信する。また、投薬歴管理テーブル１３３ａおよび薬歴管理テーブル１３５ａの内容を更新する。
【００６８】
次に、投薬オーダ指示画面について説明する。
図１１は、投薬オーダ指示画面を示す図である。
投薬オーダ指示画面６０には、患者ＩＤ表示部６１と、患者氏名表示部６２と、投薬オーダ伝票選択部６３と、終了ボタン６４と、検索部６５とが表示されている。
【００６９】
患者ＩＤ表示部６１には、患者ＤＢ１３２から取得した患者ＩＤが表示される。
患者氏名表示部６２には、患者ＤＢ１３２から取得した患者名が表示される。
投薬オーダ伝票選択部６３には、院内処方と院外処方とを選択するボタン６３１と薬品を処方する日付を表示する処方日表示部６３２とが設けられている。なお、処方日表示部６３２には、薬品を処方する日付が、クライアント装置２０が備えるタイマから呼び出されて表示される。
【００７０】
終了ボタン６４が選択されると、アプリケーション実行部２４は、投薬オーダ指示画面６０の表示を終了する。
検索部６５には、薬剤を検索する薬剤タブ６５１と、用法を検索する用法タブ６５２と、コメントを検索するコメントタブ６５３と煎じ薬を検索する煎じ薬タブ６５４とが設けられている。
【００７１】
図１１では、医師の操作により、薬剤タブ６５１が選択されている。
薬剤タブ６５１が選択されると薬剤検索部６５ａが表示される。
薬剤検索部６５ａには、薬品を検索する薬品検索タブ６５１ａと、薬効を検索する薬効検索タブ６５１ｂと、頻用薬（使用頻度の高い薬）を検索する頻用薬検索タブ６５１ｃとが設けられている。
【００７２】
医師の操作により、薬品検索タブ６５１ａが選択されると、薬品検索画面６５１ｄが表示される。
薬品検索画面６５１ｄには、薬品名入力部６５１ｅと、検索ボタン６５１ｆと、検索結果表示部６５１ｇとが表示される。
【００７３】
薬品名入力部６５１ｅは、検索する薬品名の一部または全部の入力を受け付ける。
医師の操作により検索ボタン６５１ｆが選択されると、アプリケーション実行部２４は、薬品名入力部６５１ｅに入力された内容で、薬品マスタ１３４の検索を行う。
【００７４】
検索結果表示部６５１ｇは、医師の操作により検索ボタン６５１ｆが選択されたときに、薬品名入力部６５１ｅに入力された薬品名と少なくとも一部が一致した薬品名およびその分量（検索薬品一覧）を表示する。
【００７５】
図１１では、医師の操作により薬品名入力部６５１ｅに薬品名「ロキソニン」の一部である「ロキソ」が入力され、検索ボタン６５１ｆが選択された結果、検索結果表示部６５１ｇに「ロキソニン錠  ６０ｍｇ」、「ロキソニン錠  ５０ｍｇ」および「ロキソニン錠  ４０ｍｇ」が表示されている。
【００７６】
そして、医師の操作により検索薬品一覧のいずれかの検索薬品が表示されている部位（図１１では「ロキソニン錠  ６０ｍｇ」が表示されている部位）に、カーソルが当てられると、投薬パターン表示処理が行われ、投薬パターン表示画面６５１ｈが表示される。
【００７７】
図１２は、投薬パターン表示画面の一例を示す図である。
投薬パターン表示画面６５１ｈには、カーソルが当てられた薬品名を含む（図１３では「ロキソニン錠  ６０ｍｇ」を含む）、投薬歴管理テーブル１３３ａの投薬パターンから投薬の参考することが不適当な投薬パターンが除外された投薬パターンが表示される。
【００７８】
図１２では一例として、不適当な投薬パターンが除外された投薬パターンの項目名称、項目数量および項目単位名称が、投薬した日付の新しいものから順に表示されている。
次に、電子カルテシステム１００の処理を説明する。
【００７９】
＜電子カルテシステム処理＞
図１３は、電子カルテシステム処理を示すフローチャートである。
まず、アプリケーション実行部２４が、医師の操作に応じて電子カルテアプリケーションを呼び出す。アプリケーション実行部２４が、医師の操作によるログイン名およびパスワードの入力およびログインボタンの選択に応じて、認証処理を行う（ステップＳ１）。
【００８０】
ログイン後、アプリケーション実行部２４が、医師の操作による患者の指定に応じて、サーバ装置１０に格納されている当該患者の電子カルテを取得して開く（ステップＳ２）。また、患者管理テーブル１３２ａに格納されている当該患者の情報を取得する。
【００８１】
その後、医師の操作により、投薬指示ツールが選択されると、アプリケーション実行部２４は、投薬指示ツールを起動する（ステップＳ３）。
次に、医師の操作により、投薬指示ツール内の投薬オーダメニューが選択されると、アプリケーション実行部２４が、投薬オーダ指示画面６０を起動させる（ステップＳ４）。
【００８２】
次に、医師の操作により、投薬オーダ指示画面６０内の薬剤タブ６５１が選択されると、薬剤検索部６５ａが起動する（ステップＳ５）。
次に、医師の操作により薬品名入力部６５１ｅに薬品名が入力され、検索ボタン６５１ｆが押下されると、検索結果表示部６５１ｇに検索薬品一覧が表示される。
【００８３】
医師の操作により、検索結果表示部６５１ｇに表示された検索薬品一覧のいずれかの検索薬品が表示されている部位にカーソルが当てられた場合、アプリケーション実行部２４が、投薬パターン表示処理を行う（ステップＳ６）。
【００８４】
医師の操作により、終了ボタン６４が選択されると、アプリケーション実行部２４が、投薬オーダ指示画面６０の表示を終了する（ステップＳ７）。
医師の操作により、電子カルテが閉じる旨が選択されると、アプリケーション実行部２４が患者の電子カルテを閉じる（ステップＳ８）。
【００８５】
その後、データ送信部２４４が、当該患者の電子カルテをサーバ装置１０に送信する。これにより、投薬歴管理テーブル１３３ａおよび薬歴管理テーブル１３５ａの内容が更新される。
【００８６】
医師の操作により、電子カルテアプリケーションからのログアウトが選択されると、アプリケーション実行部２４が、電子カルテアプリケーションからログアウトする（ステップＳ９）。これにより、処理を終了する。
【００８７】
次に、ステップＳ６における投薬パターン表示処理を説明する。
図１４および図１５は、投薬パターン表示処理を示すフローチャートである。
まず、データ抽出処理部２４１が、投薬パターンを検索する薬品名の入力を受け付ける（ステップＳ１１）。
【００８８】
次に、データ抽出処理部２４１が、受け付けた薬品名をキーにして投薬歴管理テーブル１３３ａを検索する（ステップＳ１２）。
次に、該当する薬品名を含む投薬パターン（以下、「当該投薬パターン」と言う）が存在するか否かを判断する（ステップＳ１３）。
【００８９】
該当する投薬パターンが存在する場合（ステップＳ１３のＹｅｓ）、アレルギーチェック部２４１ａが、患者管理テーブル１３２ａを参照し、当該投薬パターンの患者の薬物アレルギー情報を取得する（ステップＳ１４）。
【００９０】
次に、アレルギーチェック部２４１ａが、ステップＳ２にて取得した情報に基づいて、現在診療中の患者に薬物アレルギー情報が存在するか否かを判断する（ステップＳ１５）。
【００９１】
現在診療中の患者に薬物アレルギー情報が存在しない場合（ステップＳ１５のＮｏ）、ステップＳ１８に移行する。
一方、現在診療中の患者に薬物アレルギー情報が存在する場合（ステップＳ１５のＹｅｓ）、アレルギーチェック部２４１ａが、現在診療中の患者のアレルギー情報と当該投薬パターンの患者のアレルギー情報とが一致するか否かを判断する（ステップＳ１６）。
【００９２】
一致しない場合（ステップＳ１６のＮｏ）、アレルギーチェック部２４１ａが、当該投薬パターンを破棄する（投薬歴管理テーブル１３３ａから破棄するわけではない。以下同じ）（ステップＳ１７）。その後、ステップＳ１２に移行し、ステップＳ１２以降の処理を引き続き行う。なお、２回目以降のステップＳ１２における検索では、一度検索で該当した投薬パターンは無視する。
【００９３】
一方、現在診療中の患者のアレルギー情報と当該投薬パターンの患者のアレルギー情報とが一致する場合（ステップＳ１６のＹｅｓ）、他科投薬状態チェック部２４１ｂが、薬歴管理テーブル１３５ａを参照し、当該投薬パターンの患者の薬歴情報を取得する（ステップＳ１８）。
【００９４】
次に、他科投薬状態チェック部２４１ｂが、当該投薬パターンと同一期間に別の投薬パターンが存在するか否かを判断する（ステップＳ１９）。
別の投薬パターンが存在する場合（ステップＳ１９のＹｅｓ）、当該投薬パターンを破棄する（ステップＳ１７）。その後、ステップＳ１２に移行し、ステップＳ１２以降の処理を引き続き行う。
【００９５】
一方、別の投薬パターンが存在しない場合（ステップＳ１９のＮｏ）、投薬オーダチェック部２４１ｃが、薬品マスタ１３４を参照し、処方内容をチェックする（ステップＳ２０）。
【００９６】
チェックした結果、エラーが存在するか否か、すなわち、当該投薬パターンが禁忌薬や警告のある薬を含んでいるか否かを判断する（ステップＳ２１）。
エラーが存在する場合（ステップＳ２１のＹｅｓ）、当該投薬パターンを破棄する（ステップＳ１７）。その後、ステップＳ１２に移行し、ステップＳ１２以降の処理を引き続き行う。
【００９７】
一方、エラーが存在しない場合（ステップＳ２１のＮｏ）、投薬オーダチェック部２４１ｃが、パターン抽出ベースＤＢ２４１ｄに当該投薬パターンを格納する（ステップＳ２２）。その後、ステップＳ１２に移行し、ステップＳ１２以降の処理を引き続き行う。
【００９８】
一方、ステップＳ１３にて該当する投薬パターンが存在しない場合（ステップＳ１３のＮｏ）、投薬パターン圧縮処理部２４２が、パターン抽出ベースＤＢ２４１ｄを参照し、同一の投薬パターンをまとめる（図１５のステップＳ２３）。この際、投薬開始日が、最も新しい投薬パターンにまとめる。
【００９９】
次に、投薬パターン表示処理部２４３が、投薬パターン表示画面をモニタ２０４ａに表示する（ステップＳ２４）。
次に、医師による投薬パターンの選択を受け付けたか否かを判断する（ステップＳ２５）。
【０１００】
投薬パターンの選択を受け付けなかった場合（ステップＳ２５のＮｏ）、処理を終了する。
一方、投薬パターンの選択を受け付けた場合（ステップＳ２５のＹｅｓ）、受け付けた投薬パターンを当該患者の電子カルテの処方箋の欄に反映する（ステップＳ２６）。その後、処理を終了する。
【０１０１】
なお、本実施の形態では、アレルギーチェック、他科投薬状態チェック、投薬オーダチェックの順にチェックしたが、チェックの順序は本実施の形態に限定されない。
＜具体例＞
次に、前述した各テーブルを用いて投薬パターン表示処理の具体例を説明する。
【０１０２】
以下具体例では、「特許吾郎」に「マーズレン顆粒０．５ｇ包」を処方するものとして説明する。
まず、データ抽出処理部２４１が、投薬歴管理テーブル１３３ａを検索し、「マーズレンＳ顆粒０．５ｇ包」を含む投薬パターンを読み込む。本具体例では、まず、オーダ番号「００００００６０」（「特許花子」）の投薬パターンを読み込む。
【０１０３】
次に、アレルギーチェック部２４１ａが、患者管理テーブル１３２ａを参照し、「特許花子」に薬物アレルギー情報が存在するか否かを判断する。本具体例では存在しないため、他科投薬状態チェック部２４１ｂが、薬歴管理テーブル１３５ａを参照し、「特許花子」に対する薬歴を取得する。
【０１０４】
そして、当該投薬パターンと同一期間に別の投薬パターンが存在するか否かを判断する。本具体例では、「特許花子」には「マーズレンＳ顆粒０．５ｇ包」が投薬されていた期間に別の投薬「アダラートＬ錠１０ｍｇ」が処方されているため、当該投薬パターンを破棄する。
【０１０５】
次に、データ抽出処理部２４１が、投薬歴管理テーブル１３３ａを検索し、次の「マーズレンＳ顆粒０．５ｇ包」を含む投薬パターン、すなわち、オーダ番号「００００００７０」（「特許次郎」）の投薬パターンを読み込む。
【０１０６】
次に、アレルギーチェック部２４１ａが、患者管理テーブル１３２ａを参照し、「特許次郎」に薬物アレルギー情報が存在するか否かを判断する。本具体例では存在するため、「特許吾郎」の薬物アレルギー情報と「特許次郎」の薬物アレルギー情報とが一致するか否かを判断する。本具体例では一致しないため、当該投薬パターンを破棄する。
【０１０７】
次に、データ抽出処理部２４１が、投薬歴管理テーブル１３３ａを検索し、オーダ番号「００００００８８」、「０００００１００」、「０００００１１０」（「特許次郎」）の投薬パターンを順次読み込む。
【０１０８】
しかし、「特許吾郎」の薬物アレルギー情報と「特許次郎」の薬物アレルギー情報とが一致しないため、これらの投薬パターンは、いずれも破棄する。
なお、オーダ番号「００００００８５」、「０００００２２０」、（「特許三郎」）の投薬パターンには「マーズレンＳ顆粒０．５ｇ包」が含まれていないため、検索にはヒットしない。
【０１０９】
その後、データ抽出処理部２４１が、オーダ番号「０００００３００」（「特許太郎」）の投薬パターンを読み込む。
次に、アレルギーチェック部２４１ａが、患者管理テーブル１３２ａを参照し、「特許太郎」に薬物アレルギー情報が存在するか否かを判断する。本具体例では存在するため、「特許吾郎」の薬物アレルギー情報と「特許太郎」の薬物アレルギー情報とが一致するか否かを判断する。本具体例では一致するため、他科投薬状態チェック部２４１ｂが、薬歴管理テーブル１３５ａを参照し、「特許太郎」に対する薬歴を取得する。
【０１１０】
そして、当該投薬パターンと同一期間に別の投薬がなされているか否かを判断する。本具体例では、「特許太郎」には同一期間に別の投薬がなされていないため、投薬オーダチェック部２４１ｃが、薬品マスタ１３４を参照して処方内容をチェックし、当該投薬パターンが禁忌薬や警告のある薬を含んでいるか否かを判断する。本具体例ではこれらの薬は含まれていないものとする。
【０１１１】
次に、投薬オーダチェック部２４１ｃが、この投薬パターンをパターン抽出ベースＤＢ２４１ｄに格納する。
次に、データ抽出処理部２４１が、投薬歴管理テーブル１３３ａを検索し、オーダ番号「０００００５４０」（「特許次郎」）の投薬パターンを読み込む。
【０１１２】
しかし、「特許吾郎」の薬物アレルギー情報と「特許次郎」の薬物アレルギー情報とが一致しないため、当該投薬パターンを破棄する。
次に、該当する投薬パターンが存在しないため、投薬パターン圧縮処理部２４２が、パターン抽出ベースＤＢ２４１ｄを参照し、同一の投薬パターンをまとめる。
【０１１３】
パターン抽出ベースＤＢ２４１ｄではデータがテーブル化されて格納されている。
図１６は、パターン抽出ベース管理テーブルのデータ構造を示す図である。
パターン抽出ベース管理テーブル２４１ｅには、投薬パターン表示処理によって投薬歴管理テーブル１３３ａから抽出された投薬パターンが格納される。
【０１１４】
なお、各欄の内容については、投薬歴管理テーブル１３３ａと同様であるため、説明は省略する。
本具体例では抽出できたパターンが１例だけであるため、パターン抽出ベース管理テーブル２４１ｅに格納されている情報を、そのまま投薬パターン表示処理部２４３に送る。
【０１１５】
次に、投薬パターン表示処理部２４３が、受け取った投薬パターンを図１２に示すフォーマットでモニタ２０４ａに表示する。
以上で具体例の説明を終了する。
【０１１６】
以上述べたように、電子カルテシステム１００によれば、投薬歴管理テーブル１３３ａに登録された投薬パターンから参考とすべきでないものを除外した上でモニタ２０４ａに表示するようにした。具体的には、以下の投薬パターンを除外した。
【０１１７】
（１）患者が薬物アレルギーを持っている場合の投薬パターン。
（２）患者に対し他の診療科においても投薬がなされている場合の投薬パターン。
（３）患者に対する薬品の組み合わせや投与量が適正でない投薬パターン。
【０１１８】
（１）を除外することにより、患者が薬物アレルギーを持っている場合の、本来出すべき薬品を変更した例外的な投薬パターンを除外することができる。但し、同一の薬物アレルギーを持っている場合は、当該患者にとっては例外的な投薬ではないため、除外しないようにした。これにより、投薬パターンが必要以上に除外されることを防止することができる。
【０１１９】
（２）を除外することにより、他の診療科における投薬内容を考慮（例えば、他の診療科において既に検索対象の薬品が処方されている可能性がある）した例外的な投薬パターンを排除することができる。
【０１２０】
これにより、安全で一般的な可能性の高い投薬パターンを提供することができる。
なお、本実施の形態では、他科投薬状態チェック部２４１ｂは、同一時期に他科で投薬されている投薬パターンが存在する場合に、その投薬パターンを破棄するようにした。
【０１２１】
しかし、これに限定されず、例えば、他科における投薬内容にかかわらず投与できる外用薬等を予めリスト化しておき、他科投薬状態チェック部２４１ｂは、このリストに記載されている薬品のみの投薬パターンであれば、同一時期であっても除外しないようにしてもよい。これにより、投薬パターンが必要以上に除外されることを防止することができる。
【０１２２】
以上、本発明のデータ選択支援プログラム、データ選択支援装置およびデータ選択支援方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【０１２３】
また、本発明は、前述した実施の形態のうちの、任意の２以上の構成（特徴）を組み合わせたものであってもよい。
なお、上記の処理機能は、コンピュータによって実現することができる。その場合、クライアント装置２０が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等が挙げられる。磁気記録装置としては、例えば、ハードディスク装置（ＨＤＤ）、フレキシブルディスク（ＦＤ）、磁気テープ等が挙げられる。光ディスクとしては、例えば、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【０１２４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２５】
データ選択支援プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１２６】
以上の実施の形態に関し、更に以下の付記を開示する。
（付記１）  コンピュータを、
薬品の情報の入力を受け付ける入力受付手段、
複数の患者に対して処方された投薬パターンを格納したデータベースから、前記入力受付手段で入力を受け付けた前記薬品を含む前記投薬パターンを抽出する抽出手段、
前記抽出手段により抽出された前記投薬パターンのうち、投薬が禁止されている薬品が存在する患者の前記投薬パターンを除外する除外手段、
前記抽出手段により抽出された前記投薬パターンのうち、前記除外手段により除外されなかった前記投薬パターンを表示する表示手段、
として機能させることを特徴とするデータ選択支援プログラム。
【０１２７】
（付記２）  前記除外手段は、前記抽出手段により抽出された前記投薬パターンのうち、同時期に他の前記投薬パターンが存在する患者の前記投薬パターンを除外することを特徴とする付記１記載のデータ選択支援プログラム。
【０１２８】
（付記３）  前記除外手段は、前記投薬パターンの内容にかかわらず投薬できる薬品の種別を管理するリストに基づいて、前記抽出手段により抽出された前記投薬パターンのうち、前記リストによって管理されている薬品のみの前記投薬パターン以外を除外することを特徴とする付記２記載のデータ選択支援プログラム。
【０１２９】
（付記４）  前記コンピュータを、さらに、投薬対象の患者名の入力を受け付ける患者名入力受付手段としてさらに機能させ、
前記除外手段は、前記患者名入力受付手段によって入力された患者に対する投薬が禁止されている薬品と同一の薬品の投薬が禁止されている患者に対する前記投薬パターン以外の前記投薬パターンを除外することを特徴とする付記１記載のデータ選択支援プログラム。
【０１３０】
（付記５）  前記除外手段は、薬品の禁忌情報を格納している薬品マスタを参照し、前記抽出手段により抽出された前記投薬パターンのうち、禁忌を含む前記投薬パターンを除外することを特徴とする付記１ないし４のいずれかに記載のデータ選択支援プログラム。
【０１３１】
（付記６）  コンピュータを、さらに、前記表示手段により表示された前記投薬パターンの選択を受け付ける投薬パターン選択受付手段、
前記投薬パターン選択受付手段により受け付けられた前記投薬パターンを新たな投薬パターンとして前記データベースに格納させる格納手段、
として機能させることを特徴とする付記１記載のデータ選択支援プログラム。
【０１３２】
（付記７）  薬品の情報の入力を受け付ける入力受付部と、
複数の患者に対して処方された投薬パターンを格納したデータベースから、前記入力受付手段で入力を受け付けた前記薬品を含む前記投薬パターンを抽出する抽出部と、
前記抽出部により抽出された前記投薬パターンのうち、投薬が禁止されている薬品が存在する患者の前記投薬パターンを除外する除外部と、
前記抽出部により抽出された前記投薬パターンのうち、前記除外部により除外されなかった前記投薬パターンを表示する表示部と、
を有することを特徴とするデータ選択支援装置。
【０１３３】
（付記８）  コンピュータが備える、
入力受付手段が、薬品の情報の入力を受け付け、
抽出手段が、複数の患者に対して処方された投薬パターンを格納したデータベースから、前記入力受付手段で入力を受け付けた前記薬品を含む前記投薬パターンを抽出し、
除外手段が、前記抽出手段により抽出された前記投薬パターンのうち、投薬が禁止されている薬品が存在する前記患者の前記投薬パターンを除外し、
表示手段が、前記抽出手段により抽出された前記投薬パターンのうち、前記除外手段により除外されなかった前記投薬パターンを表示する、
ことを特徴とするデータ選択支援方法。
【図面の簡単な説明】
【０１３４】
【図１】実施の形態のデータ選択支援プログラムの概要を示す図である。
【図２】実施の形態の電子カルテシステムを示す図である。
【図３】クライアント装置のハードウェア構成例を示す図である。
【図４】サーバ装置の機能を示すブロック図である。
【図５】患者管理テーブルのデータ構造を示す図である。
【図６】投薬歴管理テーブルのデータ構造を示す図である。
【図７】投薬歴管理テーブルのデータ構造を示す図である。
【図８】薬歴管理テーブルのデータ構造を示す図である。
【図９】クライアント装置の機能を示すブロック図である。
【図１０】アプリケーション実行部の機能を示すブロック図である。
【図１１】投薬オーダ指示画面を示す図である。
【図１２】投薬パターン表示画面の一例を示す図である。
【図１３】電子カルテシステム処理を示すフローチャートである。
【図１４】投薬パターン表示処理を示すフローチャートである。
【図１５】投薬パターン表示処理を示すフローチャートである。
【図１６】パターン抽出ベース管理テーブルのデータ構造を示す図である。
【符号の説明】
【０１３５】
１  コンピュータ
２  入力受付手段
３  抽出手段
４  除外手段
５  表示手段
６  データベース
１０、３０、４０  サーバ装置
１１  データ送受信部
１２  制御部
１３  電子カルテ処理用データ格納部
２０  クライアント装置
２１  入力受付部
２２  インタフェース部
２３  アプリケーション格納部
２４  アプリケーション実行部
６０  投薬オーダ指示画面
６１  患者ＩＤ表示部
６２  患者氏名表示部
６３  投薬オーダ伝票選択部
６４  終了ボタン
６５  検索部
６５ａ  薬剤検索部
７０  ネットワーク
１００  電子カルテシステム
１３１  利用者ＤＢ
１３２  患者ＤＢ
１３２ａ  患者管理テーブル
１３３  投薬歴ＤＢ
１３３ａ  投薬歴管理テーブル
１３４  薬品マスタ
１３５  薬歴ＤＢ
１３５ａ  薬歴管理テーブル
２４１  データ抽出処理部
２４１ａ  アレルギーチェック部
２４１ｂ  他科投薬状態チェック部
２４１ｃ  投薬オーダチェック部
２４１ｄ  パターン抽出ベースＤＢ
２４１ｅ  パターン抽出ベース管理テーブル
２４２  投薬パターン圧縮処理部
２４３  投薬パターン表示処理部
２４４  データ送信部
６３１  ボタン
６３２  処方日表示部
６５１  薬剤タブ
６５２  用法タブ
６５３  コメントタブ
６５４  煎じ薬タブ
６５１ａ  薬品検索タブ
６５１ｂ  薬効検索タブ
６５１ｃ  頻用薬検索タブ
６５１ｄ  薬品検索画面
６５１ｅ  薬品名入力部
６５１ｆ  検索ボタン
６５１ｇ  検索結果表示部
６５１ｈ  投薬パターン表示画面
【図１】
2010140150.tif 000003
【図２】
2010140150.tif 000004
【図３】
2010140150.tif 000005
【図４】
2010140150.tif 000006
【図５】
2010140150.tif 000007
【図６】
2010140150.tif 000008
【図７】
2010140150.tif 000009
【図８】
2010140150.tif 000010
【図９】
2010140150.tif 000011
【図１０】
2010140150.tif 000012
【図１１】
2010140150.tif 000013
【図１２】
2010140150.tif 000014
【図１３】
2010140150.tif 000015
【図１４】
2010140150.tif 000016
【図１５】
2010140150.tif 000017
【図１６】
2010140150.tif 000018